(57)【要約】【課題】ＡＣアダプタ使用時に本来の性能を十分に発揮する。【解決手段】電源種類判別部２５は、二次電池２０，ＤＣジャック２２，抵抗器２８，スイッチ回路２９，充電制御回路３０，電圧検出回路３１，及びＣＰＵ３５からなる。電源ボタン１６を押圧操作でスイッチ回路２９がオンになり、ＡＣアダプタ２３がＤＣジャック２２に接続されていると、ＡＣアダプタ２３からの電源が電源回路３２に供給される。ＡＣアダプタ２３から充電制御回路３０に印加される電源電圧を電圧検出回路３１が検出し、ＣＰＵ３５に送る。ＣＰＵ３５は電源がＡＣアダプタ２３であると判別し、パワーアップモードでの初期設定を行なう。撮像部２６の動作クロックが３６ＭＨｚに、ＣＣＤ３８からのスルー画読み出しの垂直本数が３２０本に、ＣＣＤ３８の撮像フレームレートが６０ｆｐｓに各々設定される。これにより、高い解像度と滑らかな動きのスルー画がＬＣＤ１７に表示される。【選択図】図２
2008205833.tif 000002
【特許請求の範囲】
【請求項１】
撮影光学系によって結像された被写体像を光電変換して撮像信号を出力する撮像素子と、
電源が電池又はＡＣアダプタのいずれであるかを判別する電源種類判別部と、
この電源種類判別部により電源がＡＣアダプタであると判別された場合に、前記電源が電池である場合よりも、前記撮像素子から出力される撮像信号のフレームレート及び／又は垂直本数を増加する制御部と
を備えたことを特徴とするデジタルカメラ。
【請求項２】
前記制御部は、前記電源種類判別部により電源がＡＣアダプタであると判別された場合に、前記電源が電池である場合よりも、前記撮像素子の動作クロックを増加することを特徴とする請求項１記載のデジタルカメラ。
【請求項３】
前記制御部は、前記電源種類判別部により電源がＡＣアダプタであると判別された場合に、前記電源が電池である場合よりも、前記撮像信号に基づいて画像を表示する液晶ディスプレイのバックライトの輝度を高くすることを特徴とする請求項１又は２記載のデジタルカメラ。
【請求項４】
前記電源種類判別部は、電源の種類が一次電池，二次電池，ＡＣアダプタのいずれであるかを判別するとともに、一次電池の場合には充電禁止、二次電池の場合には充電制御回路による充電制御の管理をそれぞれ行なうことを特徴とする請求項１ないし３いずれか記載のデジタルカメラ。
【請求項５】
電源が電池又はＡＣアダプタのいずれであるかを判別する電源種類判別ステップと、
電源がＡＣアダプタであると判別された場合に、前記電源が電池である場合よりも、撮像素子から出力される撮像信号のフレームレート及び／又は垂直本数を増加する制御ステップと
からなることを特徴とするデジタルカメラの制御方法。
【請求項６】
前記制御ステップは、前記電源種類判別部により電源がＡＣアダプタであると判別された場合に、前記電源が電池である場合よりも、前記撮像素子の動作クロックを増加することを含むことを特徴とする請求項５記載のデジタルカメラの制御方法。
【請求項７】
前記制御ステップは、前記電源種類判別部により電源がＡＣアダプタであると判別された場合に、前記電源が電池である場合よりも、前記撮像信号に基づく画像を表示する液晶ディスプレイのバックライトの輝度を高くすることを含むことを特徴とする請求項５又は６記載のデジタルカメラの制御方法。
【発明の詳細な説明】
【技術分野】
【０００１】
本発明は、デジタルカメラ及びその制御方法に関し、更に詳しくは、複数種類の電源を使用可能なデジタルカメラ及びその制御方法に関する。
【背景技術】
【０００２】
ＣＣＤやＣＭＯＳイメージ・センサ等の撮像素子を用いて光学画像を電気信号に変換し、デジタルの画像データとしてメモリカードなどの記憶媒体に記憶するデジタルカメラが普及している。
【０００３】
デジタルカメラでは、駆動用の電源として、一般に、単三乾電池等の一次電池か繰り返し充電可能なリチウムイオン電池等の二次電池のいずれかが用いられるが、ＡＣアダプタから電源を受給可能としたものもある。
【０００４】
このような複数種類の電源を使用可能なデジタルカメラは、接続された電源の種類を判別して、電源の種類に応じた駆動制御を行なう。例えば、特許文献１記載のカメラ一体型ＶＴＲは、電源供給系判定部がバッテリを検出すると、表示系切り替え部を省電力モードとする。電源供給系判定部がＡＣアダプタを検出すると、通常モードとする。省電力モードでは、ファインダ部あるいは液晶パネル部のいずれか一方だけをＯＮ状態にし、通常モードでは、ファインダ部をＯＮ状態にし、液晶パネル部のＯＮ／ＯＦＦ状態を状況に応じて切り替える。
【０００５】
特許文献２記載の撮像システムは、二次電池パックまたは充電装置が用いられる。電源として二次電池パックが装着されると、これを電源検出手段が検出し、表示部のバックライト部の明るさを低減するように制御し、表示部における消費電力を低減する。
【０００６】
特許文献３記載の電子スチルカメラは、消費電力を少なくするために、撮像素子の駆動周波数を低くするとともに、読み出しに要する駆動電圧を低くする。
【０００７】
特許文献４記載のノートブックコンピュータは、ＡＣ駆動からバッテリ駆動に替わった時に、バッテリ電力節約のためにディスプレイ輝度を減少させるが、この時、ディスプレイ輝度の減少がユーザによってほとんど気づかれないように緩やかに行なう。
【０００８】
特許文献５記載のデジタルカメラは、電源検出回路により電源として電池か交流電源からの電源の何れかが使用されているかを検出し、電源として電池が使用されている場合に、使用されている電池が専用電池か否かのを検出し、ディスプレイユニットに供給する電源制御を行うと共に、文字液晶表示装置への電源供給制御を行う。
【特許文献１】特願平１１−０６６８２８号公報
【特許文献２】特開平１１−１４６２５４号公報
【特許文献３】特開２００３−１５３０９３号公報
【特許文献４】特開２００１−１８４０４６号公報
【特許文献３】特開２００１−２３０９６０号公報
【発明の開示】
【発明が解決しようとする課題】
【０００９】
上記特許文献１〜５は、いずれも電池使用の場合にどのようにして消費電力を低減するのかについては開示しているが、ＡＣアダプタを接続した場合にどのように駆動するかについての積極的な記載がない。電池を主に使用するデジタルカメラでは、電池を装填した状態で電源をオンにすると、節電を優先した初期設定が行なわれてしまい、後からＡＣアダプタを接続しても、スルー画の動きが滑らかでないなど、デジタルカメラの本来の性能を十分に発揮することができない場合がある。
【００１０】
本発明は、上記問題を解決するためになされたもので、ＡＣアダプタを使用する際には、節電よりも本来の性能を十分に発揮できるデジタルカメラ及びその制御方法を提供することを目的とする。
【課題を解決するための手段】
【００１１】
上記課題を解決するために本発明のデジタルカメラは、撮影光学系によって結像された被写体像を光電変換して撮像信号を出力する撮像素子と、電源が電池又はＡＣアダプタのいずれであるかを判別する電源種類判別部と、この電源種類判別部により電源がＡＣアダプタであると判別された場合に、前記電源が電池である場合よりも、前記撮像素子から出力される撮像信号のフレームレート及び／又は垂直本数を増加する制御部とを備えたことを特徴とする。
【００１２】
前記制御部は、前記電源種類判別部により電源がＡＣアダプタであると判別された場合に、前記電源が電池である場合よりも、前記撮像素子の動作クロックを増加することを特徴とする。
【００１３】
前記制御部は、前記電源種類判別部により電源がＡＣアダプタであると判別された場合に、前記電源が電池である場合よりも、前記撮像信号に基づいて画像を表示する液晶ディスプレイのバックライトの輝度を高くすることを特徴とする。
【００１４】
前記電源種類判別部は、電源の種類が一次電池，二次電池，ＡＣアダプタのいずれであるかを判別するとともに、一次電池の場合には充電禁止、二次電池の場合には充電制御回路による充電制御の管理をそれぞれ行なうことを特徴とする。
【００１５】
本発明のデジタルカメラの制御方法は、電源が電池又はＡＣアダプタのいずれであるかを判別する電源種類判別ステップと、電源がＡＣアダプタであると判別された場合に、前記電源が電池である場合よりも、撮像素子から出力される撮像信号のフレームレート及び／又は垂直本数を増加する制御ステップとからなることを特徴とする。
【００１６】
前記制御ステップは、前記電源種類判別部により電源がＡＣアダプタであると判別された場合に、前記電源が電池である場合よりも、前記撮像素子の動作クロックを増加することを含むことを特徴とする。
【００１７】
前記制御ステップは、前記電源種類判別部により電源がＡＣアダプタであると判別された場合に、前記電源が電池である場合よりも、前記撮像信号に基づく画像を表示する液晶ディスプレイのバックライトの輝度を高くすることを含むことを特徴とする。
【発明の効果】
【００１８】
本発明のデジタルカメラ及びその制御方法によれば、電源が電池又はＡＣアダプタのいずれであるかを判別し、電源がＡＣアダプタであると判別された場合に、電源が電池である場合よりも撮像素子から出力される撮像信号のフレームレート及び／又は垂直本数を増加するので、ＡＣアダプタを使用する際に本来の性能を十分に発揮することができる。
【００１９】
電源がＡＣアダプタの場合には、電池の場合よりも撮像素子の動作クロックを増加するので、ＡＣアダプタを使用する際に本来の性能を十分に発揮することができる。
【００２０】
電源がＡＣアダプタの場合には、電池の場合よりも液晶ディスプレイのバックライトの輝度を高くするので、ＡＣアダプタを使用する際に本来の性能を十分に発揮することができる。
【００２１】
電源が一次電池，二次電池，ＡＣアダプタのいずれであるかを判別し、一次電池の場合には充電禁止、二次電池の場合には充電制御の管理をそれぞれ行なうので、ＡＣアダプタを使用する際に本来の性能を十分に発揮することができるとともに、電源が一次電池，二次電池の場合にも支障なく使用できる。
【発明を実施するための最良の形態】
【００２２】
本発明の実施形態であるデジタルカメラ１０は、電源が二次電池かＡＣアダプタであるかを検出して、ＡＣアダプタである場合には、節電よりも本来の性能を十分に発揮できるようにしたものである。なお、ＡＣアダプタは、周知のように、電源コンセントに接続して用いられ、電源コンセントから供給される商用交流電源を直流に変換して出力する。
【００２３】
図１に示すように、デジタルカメラ１０のカメラ本体１１の前面には、沈胴式の撮影レンズ１２，ストロボ発光部１４が設けられている。また、カメラ本体１１の上面には、シャッタボタン１５，電源ボタン１６が設けられている。
【００２４】
カメラ本体１１の背面（図示せず）には、スルー画を表示して電子ファインダとして使用されるＬＣＤ１７（図２参照）と、複数のボタンで構成される操作部１８（図２参照）とが設けられている。なお、ＬＣＤ１７は、撮影した画像のプレビュー画やメモリカードから読み出した再生画像も表示する。
【００２５】
カメラ本体１１の下面には、電池蓋１９が設けられており、この電池蓋１９を開けて露呈される電池室に、デジタルカメラ１０の携帯時に供給電源となる充電可能な二次電池（例えばリチウムイオン電池）２０（図２参照）が着脱自在にカメラ本体１１内に装填される。なお、二次電池２０は着脱不能にカメラ本体１１に内蔵してもよい。
【００２６】
カメラ本体１１の側面には、ＤＣジャック２２が設けられている。このＤＣジャック２２には、ＡＣアダプタ２３のプラグ２３ａが挿入される。ＡＣアダプタ２３は、プラグ２３ａと、ＡＣアダプタ本体２３ｂと、これらを接続するケーブル２３ｃとから構成されている。
【００２７】
図２に示すように、デジタルカメラ１０の主な電気的な構成は、電源種類判別部２５，撮像部２６，制御部２７からなる。電源種類判別部２５は、二次電池２０，ＤＣジャック２２，抵抗器２８，スイッチ回路２９，充電制御回路３０，電圧検出回路３１，及びＣＰＵ３５からなる。
【００２８】
スイッチ回路２９には、電源回路３２が接続されている。電源回路３２は、スイッチ回路２９がオンにされることにより、二次電池２０又はＡＣアダプタ２３からの電源電圧をデジタルカメラ１０の各部に応じて昇圧，降圧し、各部へ供給する。
【００２９】
ＤＣジャック２２は、３つの端子２２ａ，２２ｂ，２２ｃからなり、端子２２ａはスイッチ回路２９と充電制御回路３０に接続されている。端子２２ｂは、抵抗器２８の一端部，充電制御回路３０，二次電池２０の一端部に接続されている。端子２２ｃは、抵抗器２８の他端部に接続されているとともに接地されている。スイッチ回路２９は、電源ボタン１６の押圧操作を受けた制御部２７のＣＰＵ３５によりオン／オフされる。
【００３０】
ＤＣジャック２２にプラグ２３ａが挿入されていない場合、端子２２ｂ，２２ｃが短絡しているから、二次電池２０の一端部は接地しており、二次電池２０の他端部は充電制御回路３０を介してスイッチ回路２９に接続されている。この状態で、スイッチ回路２９がオンになると、二次電池２０からの電源が電源回路３２に供給され、電源回路３２で電圧調整された電源がデジタルカメラ１０の各部に供給される。
【００３１】
電圧検出回路３１は、充電制御回路３０を通過する二次電池２０からの電源電圧を測定し、ＣＰＵ３５に送る。二次電池２０からの電源電圧は、ＡＣアダプタの電源電圧よりも低いから、ＣＰＵ３５は、電源が二次電池２０であると判別する。
【００３２】
また、ＣＰＵ３５は、電圧検出回路３１から入力された測定電圧Ａ（ｖ）を所定の閾値電圧α（ｖ）と比較し、Ａ≧αであるか否かを判別する。閾値電圧αは、二次電池２０がほぼフル充電状態の電圧である。ＣＰＵ３５は、Ａ≧αの時には、ＡＣアダプタ２３接続時と同じパワーアップモードでの初期設定を行ない、Ａ＜αの時には、省電力モードによる初期設定を行なう。
【００３３】
省電力モードでは、スルー画表示時において、撮像部２６の動作クロックが１２ＭＨｚ、撮像部２６のＣＣＤ３８（図２参照）からのスルー画読み出しの垂直本数が１６０本、ＣＣＤ３８からスルー画を読み出す速度である撮像フレームレートが３０ｆｐｓである。また、ＬＣＤ１７（図２参照）のバックライトの明るさを低輝度側にシフト，所定時間（例えば３分）使用しない状態が継続した場合にＬＣＤ１７の電源オフ等も実施される。
【００３４】
ＤＣジャック２２にプラグ２３ａが挿入されている場合、端子２２ｂ，２２ｃの短絡が解除されるから、プラグ２３ａのマイナス端子が接地されるとともに抵抗器２８を介して二次電池２０のマイナス端子に接続され、プラグ２３ａのプラス端子がスイッチ回路２９と充電制御回路３０に接続される。この状態で、スイッチ回路２９がオフの場合、ＡＣアダプタ２３からの電源によって充電制御回路３０が駆動され、二次電池２０が充電される。
【００３５】
スイッチ回路２９がオンの場合、ＡＣアダプタ２３からの電源が電源回路３２に供給され、電源回路３２で電圧調整された電源がデジタルカメラ１０の各部に供給される。この時、ＡＣアダプタ２３から充電制御回路３０への電源供給量は減少するものの充電制御回路３０にはＡＣアダプタ２３からの電源が供給されるから、この電圧を電圧検出回路３１が検出してＣＰＵ３５に送る。
【００３６】
ＣＰＵ３５は、電圧検出回路３１から入力された電圧により、電源がＡＣアダプタ２３であると判別し、デジタルカメラ１０の性能がフルに発揮されるパワーアップモードによる初期設定を行なう。
【００３７】
パワーアップモードでは、スルー画表示時において、撮像部２６の動作クロックが動画時と同じ３６ＭＨｚ、撮像部２６のＣＣＤ３８（図２参照）からのスルー画読み出しの垂直本数が動画時と同じ３２０本、ＣＣＤ３８からスルー画を読み出す速度である撮像フレームレートが一般的な３０ｆｐｓの２倍にあたる６０ｆｐｓに設定される。また、ＬＣＤ１７（図２参照）のバックライトの明るさを高輝度側にシフト，ＬＣＤ１７の電源オートオフ動作を行なわない等も実施される。
【００３８】
ＣＣＤ３８からのスルー画読み出しの垂直本数が３２０本に設定されると、従来の一般的なスルー画読み出しの垂直本数が１６０本であるから、スルー画の垂直方向の解像度が２倍に上がり、スルー画の画質が良化する。
【００３９】
ＣＣＤ３８の撮像フレームレートが６０ｆｐｓに設定されると、ＬＣＤ１７に表示されるスルー画の表示フレームレートも同じ６０ｆｐｓとなるから、スルー画の動きが非常に滑らかになる。なお、ＬＣＤ１７は、リフレッシュレートが６０Ｈｚよりも大きい、例えば７０Ｈｚであるから、パワーアップモード時のフレームレート６０ｆｐｓのスルー画表示を問題なく行なうことができる。
【００４０】
撮像部２６は、撮影レンズ１２，ＣＣＤ３８，ＡＦＥ（アナログフロントエンド）４０，モータ駆動部４１，ＣＣＤドライバ４２，及びＴＧ（タイミングジェネレータ）４３からなる。なお、イメージセンサとしては、ＣＣＤの他、ＣＭＯＳイメージセンサを用いることもできる。
【００４１】
撮影レンズ１２には、ズーム機構，フォーカス機構，絞り装置が組み込まれている。ズーム機構は、操作部１８のズーム操作に応答して、撮影レンズ１２を構成する変倍レンズを移動してズーミングを行う。フォーカス機構は、フォーカスレンズを移動してピント合せを行う。絞り装置は、絞りを調節することで、ＣＣＤ３８に入射する被写体光の光強度を調節する。ズーム機構，フォーカス機構，絞り装置は、ＣＰＵ３５からの指令に基づき、モータ駆動部４１によってそれぞれ駆動される。
【００４２】
ＣＣＤ３８は、撮影レンズ１２の背後に配してあり、撮影レンズ１２を透過した被写体光がＣＣＤ３８の受光面に入射する。ＣＣＤ３８は、その受光面に多数の受光部が設けてあり、ＣＣＤドライバ４２からの駆動信号により駆動され、各受光部で露光した被写体光学像をアナログの撮像信号に変換して出力する。
【００４３】
ＣＣＤドライバ４２は、ＴＧ４３からの同期パルスによって駆動され、スルー画表示や適正露出値算出の際にはＣＣＤ３８からスルー画の撮像信号を読み出し、撮影時にはＣＣＤ３８からフレーム画の撮像信号を読み出す。
【００４４】
ＴＧ４３が発生する同期パルスのクロックは、撮像部２６の動作クロックであり、上述したように、省電力モードでは１２ＭＨｚ、パワーアップモードでは３６ＭＨｚになる。また、ＴＧ４３からＣＣＤドライバ４２に入力される同期パルスのクロックが１２ＭＨｚから３６ＭＨｚに切り換えられると、ＣＣＤドライバ４２からＣＣＤ３８に入力される駆動信号が変更され、ＣＣＤ３８の撮像フレームレートが３０ｆｐｓから６０ｆｐｓに切り換えられる。
【００４５】
ＣＣＤ３８から出力された撮像信号は、ＡＦＥ４０に送られる。ＡＦＥ４０は、ＣＤＳ回路４０ａ，ＡＭＰ回路４０ｂ，Ａ／Ｄ変換器４０ｃから構成されており、ＴＧ４３からの同期パルスが入力されることにより、ＣＣＤ３８の電荷読み出し動作と同期して作動する。
【００４６】
ＣＤＳ回路４０ａは、相関二重サンプリングを行うことによって撮像信号からノイズの除去を行なう。ＡＭＰ回路４０ｂは、ＣＰＵ３５によって設定される撮影感度に応じたゲインで撮像信号を増幅する。Ａ／Ｄ変換器４０ｃは、ＡＭＰ回路４０ｂからの撮像信号をデジタルの画像データに変換する。
【００４７】
制御部２７は、ＣＰＵ３５，画像入力コントローラ４５，デジタル画像処理部４６，圧縮伸張処理部４７，ＡＦ検出部４８，ＡＥ／ＡＷＢ検出部４９，メディアコントローラ５０，内部メモリ５１，ＬＣＤドライバ５２から構成されている。これらは、データバス５３を介してＣＰＵ３５に制御されるとともに、相互間でデータの授受が可能となっている。
【００４８】
ＣＰＵ３５は、シャッタボタン１５，電源ボタン１６，操作部１８からの各種信号に基づいて各部を制御する。ＣＰＵ３５には、ＲＯＭ３５ａ，ＲＡＭ３５ｂ，ストロボ装置５４が接続されている。ストロボ装置５４は、ＣＰＵ３５の指令信号に従ってストロボ発光部１４を発光させる。
【００４９】
ＲＯＭ３５ａには、各種シーケンスを実行するためのプログラムや、シャッタ速度，絞り値，撮影感度の組み合せを決定するための各種プログラム線図に相当するプログラム等を書き込んであり、このプログラムにしたがってＣＰＵ３５は各部を制御する。ＲＡＭ３５ｂは、撮影シーケンスなどを実行する際に必要なデータを一時的に記憶するワークメモリとして利用される。
【００５０】
画像入力コントローラ４５は、ＣＰＵ３５の制御命令に応じて、データバス５３を介して各部への画像データの入出力を制御する。
【００５１】
デジタル画像処理部４６は、入力された画像データに対し、階調変換、ホワイトバランス補正、γ補正処理などの各種画像処理と、ＹＣ変換処理とを施す。
【００５２】
ＡＦ検出部４８は、撮影レンズ１２のピント合せのために、画像入力コントローラ４５から出力される画像データを用いて撮影中の画像のコントラストを検出し、そのコントラスト情報をＣＰＵ３５に送る。ＣＰＵ３５は、コントラスト情報を参照し、撮影中の画像のコントラストが最大となるように、モータ駆動部４１を介して撮影レンズ１２のフォーカス機構を駆動する。
【００５３】
ＡＥ／ＡＷＢ検出部４９は、画像入力コントローラ４５からの画像データに基づいて、被写体輝度の検出と、光源の種類の検出を行ない、それらをＣＰＵ３５に送る。ＣＰＵ３５は、ＡＥ／ＡＷＢ検出部４９からの被写体輝度を用いて露出値を算出する。また、ＣＰＵ３５は、光源の種類に基づいて、デジタル画像処理部４６のホワイトバランスのパラメータを設定する。
【００５４】
ＣＰＵ３５は、スルー画表示時の露出値はスルー画用プログラムにしたがって絞り値，シャッタ速度，撮影感度の組み合わせに変換し、撮影時の露出値は撮影用プログラムにしたがって絞り値，シャッタ速度，撮影感度の組み合わせに変換する。
【００５５】
メディアコントローラ５０は、メモリカード５５のデータの書き込み及び読み出しを制御する。記録すべき画像データは、デジタル画像処理部４６，圧縮伸張処理部４７での処理が施されてから、メディアコントローラ５０に送られて、メモリカード５５に書き込まれる。また、再生時には、メディアコントローラ５０によってメモリカード５５に記録されている画像データが読み出され、圧縮伸張処理部４７に送られて画像データの伸長が行われた後に、内部メモリ５１に送られる。
【００５６】
内部メモリ５１は、例えば高速な読み出しと書き込みが可能なＳＤＲＡＭである。この内部メモリ５１は、ＬＣＤ１７に表示すべきスルー画の画像データや、メモリカード５５に記録すべきフレーム画の画像データを一旦書き込むために使用される。
【００５７】
ＬＣＤドライバ５２は、スルー画表示時及び再生モード時には、内部メモリ５１から画像データを再生用の垂直同期信号に同期して読み出し、その画像データに基づいてＬＣＤ１７を駆動する。これにより、ＬＣＤ１７には、ＣＣＤ３０でスルー画やメモリカード５５から読み出された画像が表示される。
【００５８】
このように構成されたデジタルカメラ１０の作用を図３，図４及び図５のフローチャートを参照して説明する。二次電池２０は、カメラ本体11の電池室に予め装填されている。電源ボタン１６を押圧操作すると（ｓｔ１）、ＣＰＵ３５は電源種類判別部２５のスイッチ回路２９に指令信号を送ってスイッチ回路２９をオンにする。
【００５９】
ＡＣアダプタ２３のプラグ２３ａがＤＣジャック２２に挿入されている場合（ｓｔ２）、ＡＣアダプタ２３からの電源が電源回路３２に供給され、電源回路３２で電圧調整された電源がデジタルカメラ１０の各部に供給される。
【００６０】
充電制御回路３０に印加されるＡＣアダプタ２３からの電源電圧を電圧検出回路３１が検出し、これをＣＰＵ３５に送る。ＣＰＵ３５は電源の種類がＡＣアダプタ２３であると判別し、パワーアップモードによる初期設定を行なう（ｓｔ３）。
【００６１】
この初期設定では、ＣＰＵ３５からＴＧ４３に指令信号が送られ、図４のフローチャートに示すように、ＴＧ４３からＣＣＤドライバ４２に入力される同期パルスのクロックが３６ＭＨｚに設定される（ｓｔ１１）とともにＣＣＤ３８からのスルー画読み出しの垂直本数が３２０本に設定され（ｓｔ１２）、かつＣＣＤ３８の撮像フレームレートが６０ｆｐｓに設定される（ｓｔ１３）。また同時に、ＬＣＤ１７のバックライトの明るさを高輝度側にシフト，ＬＣＤ１７の電源オートオフ動作を行なわない等も実施される。
【００６２】
ＣＣＤ３８から読み出されたスルー画の撮像信号がＡＦＥ４０に入力されてデジタルの画像データに変換される。この画像データは、画像入力コントローラ４５により、内部メモリ５１に一時的に書き込まれる。この後、画像データが内部メモリ５１から読み出されてデジタル画像処理部４６にて所定の画像処理が施されてから、ＬＣＤドライバ５２を介してＬＣＤ１７に送られ、高い解像度と滑らかな動きのスルー画がＬＣＤ１７に表示される。
【００６３】
スルー画の表示中には、一定時間間隔で、ＡＦ検出部４８，ＡＥ／ＡＷＢ検出部４９，モータ駆動部４１及び撮影レンズ１２により、ＡＦ制御及びＡＥ制御がなされる。
【００６４】
ＡＣアダプタ２３のプラグ２３ａがＤＣジャック２２に挿入されていない場合（ｓｔ２）、二次電池２０からの電源が電源回路３２に供給され、電源回路３２で電圧調整された電源がデジタルカメラ１０の各部に供給される。
【００６５】
ＣＰＵ３５は、電圧検出回路３１から入力された測定電圧Ａ（ｖ）がＡＣアダプタの電源電圧よりも低いから、電源が二次電池２０であると判別するとともに、測定電圧Ａ（ｖ）≧閾値電圧α（ｖ）であるか否かを判別する（ｓｔ４）。
【００６６】
Ａ≧αの時には、ＡＣアダプタ２３接続時と同じパワーアップモードでの初期設定を行ない（ｓｔ３）、Ａ＜αの時には、省電力モードによる初期設定を行なう（ｓｔ５）。
【００６７】
省電力モードによる初期設定では、図５に示すように、撮像部２６の動作クロックが１２ＭＨｚ（ｓｔ２１）、ＣＣＤ３８からのスルー画読み出しの垂直本数が１６０本（ｓｔ２２）、撮像フレームレートが３０ｆｐｓ（ｓｔ２３）、と設定される。また、ＬＣＤ１７のバックライトの明るさを低輝度側にシフト，ＬＣＤ１７の電源オートオフ等も実施されるように設定される。これにより、デジタルカメラ１０の節電が図られる。
【００６８】
上記実施形態では、電源電池として二次電池を用いたが、一次電池を用いた電源種類判別部の例を図６を参照して説明する。なお、上記実施形態と同じ部材には同じ符号を付し、説明を省略する。電源種類判別部６０では、ＤＣジャック２２の端子２２ａ，２２ｂの間に、一次電池６１が接続されている。
【００６９】
一次電池６１の一端部はスイッチ回路２９を介して電源回路３２に接続されている。また、一次電池６１の他端部は抵抗器２８を介して電源回路３２に接続されている。一次電池６１の他端部と抵抗器２８との間の中間端子６２は、電圧検出回路３１に接続されている。電圧検出回路３１は、中間端子６２の電圧を測定し、その結果をＣＰＵ３５に入力する。
【００７０】
ＤＣジャック２２にＡＣアダプタ２３が接続されていない場合、端子２２ｂ，２２ｃが短絡しているから、一次電池６１の他端部は接地しており、スイッチ回路２９がオンになると、一次電池６１からの電源が電源回路３２に供給される。この時、中間端子６２は接地しているから、中間端子６２の測定電圧はほぼ０（ｖ）（Ｌｏｗ）となり、これが電圧検出回路３１からＣＰＵ３５に入力される。これにより、ＣＰＵ３５は、電源が一次電池６１であると判別する。
【００７１】
ＤＣジャック２２にＡＣアダプタ２３が接続されている場合、端子２２ｂ，２２ｃの短絡は解除されるから、スイッチ回路２９がオンになると、一次電池６１からの電源は遮断され、代わりにＡＣアダプタ２３からの電源が電源回路３２に供給される。中間端子６２には、抵抗器２８を介してＡＣアダプタ２３からの電源電圧が印加されるから、中間端子６２の測定電圧は高くなり（Ｈｉ）、これが電圧検出回路３１からＣＰＵ３５に入力される。これにより、ＣＰＵ３５は、電源がＡＣアダプタ２３であると判別する。
【００７２】
電源電池として、一次電池，二次電池を択一的に使う場合には、例えば、図２に示す電源種類判別部２５の充電制御回路３０をＣＰＵ３５により制御するようにすればよい。電源種類判別部２５の二次電池２０の代わりに、一次電池６１を装填した場合、スイッチ回路２９がオフ状態なら、ＡＣアダプタ２３をＤＣジャック２２に接続すると、一次電池６１が充電されてしまい、破裂などの事故が起きる。しかし、この時、電圧検出回路３１からの測定電圧によりＣＰＵ３５が電源が一次電池６１であると判別している場合、ＣＰＵ３５は充電制御回路３０に制御信号を送って、充電制御回路３０の充電動作を停止させれば、誤って一次電池６１が充電されることが防止される。
【００７３】
以上説明した実施形態では、ＡＣアダプタを接続した際に、撮像部（特にＣＣＤ）の動作クロック，ＣＣＤからのスルー画読み出しの垂直本数，フレームレートの全てを増加させたが、本発明はこれに限定されることなく、例えば２つずつの組合せ（動作クロックと垂直本数，動作クロックとフレームレート，垂直本数とフレームレート）や１つのみを増加させてもよい。
【００７４】
また、上記実施形態では、撮像部の動作クロックとして、省電力モード時の１２ＭＨｚかパワーアップモード時の３６ＭＨｚのいずれかが選択されるようにしたが、記録用（３６ＭＨｚ（パワーアップモード）），スルー画用（１８ＭＨｚ（通常モード）），スルー画用（１２ＭＨｚ（省電力モード））の少なくとも３種類のクロックを選択可能に備え、ＡＣアダプタを接続した際に、（ａ）フレームレート及び垂直本数の変更を行なわないＡモードでは、クロックを通常モードとし、（ｂ）フレームレート及び／又は垂直本数の変更を行なわないＢモードでは、パワーアップモードとするようにしてもよい。この場合、Ａ，Ｂモードの切換えは、ユーザが行なう。
【００７５】
また、記録用（３６ＭＨｚ），スルー画用（１２ＭＨｚ又は１８ＭＨｚ）の少なくとも２種類のクロックを選択可能に備え、ＡＣアダプタの接続を検出した際と、シャッタボタンが押し下げられた際とに、記録用のクロックが選択されるようにしてもよい。
【００７６】
また、記録用（３６ＭＨｚ），スルー画用（１８ＭＨｚ（通常モード）），スルー画用（１２ＭＨｚ（省電力モード））の少なくとも３種類のクロックを選択可能に備え、ＡＣアダプタを接続した際に、（ａ）スルー画取得時にはスルー画（通常モード）のクロックとし、シャッタボタンの押下操作により記録用のクロックとするＣモードと、（ｂ）スルー画取得時に記録用のクロックとするＤモードと、を切換自在としてもよい。この場合、Ｃ，Ｄモードの切換えは、ユーザが行なう。
【００７７】
なお、本発明は、上記実施形態で挙げたクロック等の各数値に限定されないのは勿論である。
【図面の簡単な説明】
【００７８】
【図１】本発明を実施したデジタルカメラの外観を示す斜視図である。
【図２】デジタルカメラの電気的な構成を示すブロック図である。
【図３】初期設定の手順を示すフローチャートである。
【図４】パワーアップモードでの設定を示すフローチャートである。
【図５】省電力モードでの設定を示すフローチャートである。
【図６】別の電源種類判別部の例を示すブロック図である。
【符号の説明】
【００７９】
１０  デジタルカメラ
１７  ＬＣＤ
２０  二次電池
２２  ＤＣジャック
２３  ＡＣアダプタ
２５，６０  電源種類判別部
２６  撮像部
２７  制御部
２８  抵抗器
２９  スイッチ回路
３０  充電制御回路
３１  電圧検出回路
３２  電源回路
３５  ＣＰＵ
３８  ＣＣＤ
４３  ＴＧ
６１  一次電池
【図１】
2008205833.tif 000003
【図２】
2008205833.tif 000004
【図３】
2008205833.tif 000005
【図４】
2008205833.tif 000006
【図５】
2008205833.tif 000007
【図６】
2008205833.tif 000008